(57)【要約】【課題】  本発明は、金属石墨複合式放熱構造を提供する。【解決手段】  石墨部品と伝熱可能な金属部品とが含有され、前記伝熱可能な金属部品（例えば、銅部品やアルミ部品）が前記石墨部品に結合され、これにより、複合式放熱構造が構成され、前記伝熱可能な金属部品により、熱源が生成した熱が縦方向へ伝達され、また、石墨部品により、熱が横方向へ伝達され、そのため、熱源が生成した熱が、石墨部品全体へ伝達され、全面的に伝熱と放熱効果が得られて、より良い放熱効率が実現される。【選択図】      図３
2008047848.tif 000002
【特許請求の範囲】
【請求項１】
石墨部品と、
前記石墨部品に結合される伝熱可能な金属部品とを含むことを特徴とする金属石墨複合式放熱構造。
【請求項２】
前記石墨部品に、収納空間が設けられ、前記伝熱可能な金属部品が、当該収納空間の中に結合されることを特徴とする請求項１に記載の金属石墨複合式放熱構造。
【請求項３】
前記収納空間が、前記石墨部品の頂面と底面を貫通することを特徴とする請求項２に記載の金属石墨複合式放熱構造。
【請求項４】
前記石墨部品の頂面と底面に、それぞれ、羽根体が貼り付けられ、前記羽根体が、前記収納空間と前記伝熱可能な金属部品との接合箇所に被覆することを特徴とする請求項２に記載の金属石墨複合式放熱構造。
【請求項５】
前記収納空間が、前記石墨部品の中間部や辺縁に位置することを特徴とする請求項２に記載の金属石墨複合式放熱構造。
【請求項６】
前記伝熱可能な金属部品が、銅部品及びアルミ部品のいずれかであることを特徴とする請求項１に記載の金属石墨複合式放熱構造。
【請求項７】
前記伝熱可能な金属部品が、前記石墨部品の辺縁に結合されることを特徴とする請求項１に記載の金属石墨複合式放熱構造。
【請求項８】
前記伝熱可能な金属部品の一面に、接触面が形成されることを特徴とする請求項１に記載の金属石墨複合式放熱構造。
【請求項９】
前記接触面が、熱源に接触することを特徴とする請求項８に記載の金属石墨複合式放熱構造。
【請求項１０】
前記伝熱可能な金属部品の両端に、比較的に大きい頭部が形成され、当該二つの頭部が、それぞれ、前記石墨部品の頂面と底面に抵当することを特徴とする請求項１に記載の金属石墨複合式放熱構造。
【請求項１１】
前記伝熱可能な金属部品と前記石墨部品とが、緊密的に結合されることを特徴とする請求項１に記載の金属石墨複合式放熱構造。
【発明の詳細な説明】
【技術分野】
【０００１】
本発明は、金属石墨複合式放熱構造に関し、特に、熱源上に実装され、より良い放熱効率が得られる複合式放熱構造に関する。
【背景技術】
【０００２】
コンピューター産業が快速的に発展することとともに、中央処理装置等の熱源の発熱量も高くなり、また、サイズも小さくなり、当該集中する熱量を、有効的にシステム外の環境へ発散して、熱源を、正常に作動できる許容温度に維持するため、一般として、面積が比較的に大きい放熱器を熱源表面に設けることにより、熱源の放熱を補助する。
【０００３】
従来の放熱器は、殆ど、銅やアルミ等の伝熱性が優れた金属材料からなるため、作製コストが高いことや重量が重いこと、体積が大きいこと及び実装する時比較的に大きい空間を占用することから、現代の電子製品に対する軽薄短小の需要を満足し難い。
【０００４】
また、石墨材料が伝熱性を有するが、石墨に、横方向へ伝熱する特性を有するため、熱が、有効的に縦方向へ伝達されず、そのため、石墨を放熱に適用する場合、熱源からの熱が、石墨に接触する面までしか伝達できなく、また、有効的に上へ伝熱できないため、熱伝達率が悪くて、放熱効率が良くない。
【０００５】
本発明者は、上記の欠点を改善するために、設計が合理的で、且つ、有効的に上記の欠点を改善できる本発明を提案する。
【発明の開示】
【発明が解決しようとする課題】
【０００６】
本発明の主な目的は、全面的に伝熱と放熱効果が得られ、また、熱伝達率が良く、より良い放熱効率が実現され、そして、作製コストの低減と重量の減量及び体積の縮小が実現される金属石墨複合式放熱構造を提供する。
【課題を解決するための手段】
【０００７】
本発明は、上記の目的を達成するために、石墨部品と前記石墨部品に結合される伝熱可能な金属部品とが含有される金属石墨複合式放熱構造を提供する。
【０００８】
本発明は、石墨部品に伝熱可能な金属部品を設置して、前記伝熱可能な金属部品を利用して熱源が生成した熱を縦方向へ伝達し、そして、石墨部品により熱を横方向へ伝達して、熱源が生成した熱が、石墨部品全体に伝達されることにより、全面的に伝熱と放熱ができ、熱伝達率が良くなり、より良い放熱効率が得られる。また、作製コストの低減や重量の減量、体積の縮小及び実装するための占用空間の節約が実現される。
【発明を実施するための最良の形態】
【０００９】
以下、図面を参照しながら、本発明の特長や技術内容を詳しく説明するが、図面などは、参考のためのものであり、本発明は、それによって制限されることがない。
【００１０】
本発明は、図１と図２を参照しながら、金属石墨複合式放熱構造であり、石墨部品１と伝熱可能な金属部品２とが含有され、前記石墨部品１は、石墨材料からなり、その形状やサイズに、制限がなく、必要に応じて適当に変化でき、本実施例において、前記石墨部品１は、四角形羽根体である。前記石墨部品１は、熱源に対応する収納空間１１が形成され、前記収納空間１１が、石墨部品１の中間部や辺縁に設けても良く、本実施例において、前記収納空間１１が、石墨部品１の中間部に設けられる。前記収納空間１１は、円形や四角形或いは他の異なる形状であり、前記収納空間１１が石墨部品１の頂面と底面を貫通するため、伝熱可能な金属部品２を実装できる。
【００１１】
前記伝熱可能な金属部品２は、銅部品やアルミ部品等の伝熱性が優れた金属部品であり、その形状が、収納空間１１に対応し、本実施例において、前記伝熱可能な金属部品２と前記収納空間１１とが、互いに対応する円形である。前記伝熱可能な金属部品２は、収納空間１１の中に設置され、伝熱可能な金属部品２と石墨部品１とが、緊密に張合わされるか熱伝達媒体により緊密に粘着結合される。前記伝熱可能な金属部品２の一面（底面）に接触面２１が形成され、前記接触面２１が、石墨部品１の底面から露出して、熱源に接触し、上記の構造により、本発明に係わる金属石墨複合式放熱構造が構成される。
【００１２】
図１と図３を参照する。本発明に係わる複合式放熱構造は、熱源５（例えば、中央処理装置）上に設置されて、伝熱可能な金属部品２の接触面２１により熱源５と接触し、また、接触面２１と熱源５との間に伝熱グルーを介在しても良い。熱源５が生成した熱が、伝熱可能な金属部品２を介して、Ｚ軸方向に沿って上へ縦方向に伝達され、また、石墨部品１を介して、熱が、Ｘ、Ｙ軸方向に沿って横方向に伝達され、これにより、熱源５が生成した熱が、石墨部品１全体に伝達される。
【００１３】
図４を参照する。本実施例において、前記伝熱可能な金属部品２と前記収納空間１１とが、互いに対応する四角形である。
【００１４】
図５を参照する。本実施例において、前記伝熱可能な金属部品２の両端に、それぞれ、比較的に大きい頭部２２、２３が形成され、前記二つの頭部２２、２３が、それぞれ、石墨部品１の頂面と底面に抵当する。
【００１５】
図６を参照する。本実施例において、前記石墨部品１の頂面と底面に、それぞれ、リング状の羽根体３が貼り付けられ、前記羽根体３が、収納空間１１と伝熱可能な金属部品２との接合箇所に被覆して、石墨部品１の内部にある石墨材料の漏れを防止できる。
【００１６】
図７を参照する。本実施例において、前記収納空間１１が、石墨部品１の辺縁に設けられ、前記伝熱可能な金属部品２が、前記石墨部品１の辺縁に位置する収納空間１１に結合される。
【００１７】
図８を参照する。本実施例において、前記伝熱可能な金属部品２が、直接に、前記石墨部品１の辺縁に結合される。
【００１８】
本発明は、石墨部品１に伝熱可能な金属部品２を設置して、前記伝熱可能な金属部品２を利用して熱源５が生成した熱を縦方向へ伝達し、そして、石墨部品１により熱を横方向へ伝達して、熱源５が生成した熱が、石墨部品１全体に伝達されることにより、全面的に伝熱と放熱効果が得られ、熱伝達率が良くなり、より良い放熱効率が実現される。
【００１９】
また、本発明により、作製コストの低減や重量の大幅減量、体積の縮小及び実装するための占用空間の節約が実現される。
【００２０】
以上は、ただ、本発明に係わるより良い実施例であり、本発明は、それによって制限されず、本発明に係わる明細書や図面内容に従って行う等価の変更や修正は、全てが、本発明に係わる特許請求の範囲内に含まれる。
【図面の簡単な説明】
【００２１】
【図１】本発明に係わる複合式放熱構造の第１の実施例の立体図である。
【図２】本発明に係わる複合式放熱構造の第１の実施例の断面図である。
【図３】本発明に係わる複合式放熱構造の第１の実施例の使用状態の概念図である。
【図４】本発明に係わる複合式放熱構造の第２の実施例の立体図である。
【図５】本発明に係わる複合式放熱構造の第３の実施例の断面図である。
【図６】本発明に係わる複合式放熱構造の第４の実施例の立体図である。
【図７】本発明に係わる複合式放熱構造の第５の実施例の立体図である。
【図８】本発明に係わる複合式放熱構造の第６の実施例の立体図である。
【符号の説明】
【００２２】
１    石墨部品
１１  収納空間
２    伝熱可能な金属部品
２１  接触面
２２  頭部
２３  頭部
３    羽根体
５    熱源
【図１】
2008047848.tif 000003
【図２】
2008047848.tif 000004
【図３】
2008047848.tif 000005
【図４】
2008047848.tif 000006
【図５】
2008047848.tif 000007
【図６】
2008047848.tif 000008
【図７】
2008047848.tif 000009
【図８】
2008047848.tif 000010